(57)【要約】【課題】改良されたディスプレイパネル及びディスプレイ装置を提供する。【解決手段】本発明のディスプレイパネルは、ディスプレイスクリーンと、回路基板と、無線ネットワークアダプタとを備える。ディスプレイスクリーンは、アレイ基板と、前記アレイ基板とセル化されてディスプレイスクリーンを形成する対向基板とを備える。回路基板には、前記ディスプレイスクリーンを制御する制御回路が設けられている。無線ネットワークアダプタは、無線ネットワークを介して通信を行う。【選択図】図１
2014106538.tif 000002
【特許請求の範囲】
【請求項１】
アレイ基板及び該アレイ基板とセル化されてディスプレイスクリーンを形成する対向基板を含むディスプレイスクリーンと、
その上に前記ディスプレイスクリーンを制御する制御回路が設けられた回路基板と、
無線ネットワークを介して通信を行う無線ネットワークアダプタと、
を備えることを特徴とするディスプレイパネル。
【請求項２】
前記無線ネットワークアダプタが、前記回路基板に設けられていることを特徴とする請求項１に記載のディスプレイパネル。
【請求項３】
前記回路基板が、プリントボード（ＰＣＢ）またはフレキシブルプリント基板（ＦＰＣ）であることを特徴とする請求項１または請求項２に記載のディスプレイパネル。
【請求項４】
前記回路基板に、前記無線ネットワークアダプタと前記回路基板とを接続するリードが配置されていることを特徴とする請求項２または請求項３に記載のディスプレイパネル。
【請求項５】
前記リードがはんだ付けにより前記無線ネットワークアダプタと前記回路基板とに接続されることを特徴とする請求項４に記載のディスプレイパネル。
【請求項６】
前記リードが、電源リードと、データ入力リードと、データ出力リードとを備えることを特徴とする請求項４または請求項５に記載のディスプレイパネル。
【請求項７】
前記無線ネットワークアダプタが、前記無線ネットワークを介して表示制御信号を受信し、
前記無線ネットワークアダプタが、リードを介して前記ディスプレイスクリーンの制御回路にさらに接続して、前記ディスプレイスクリーンに前記表示制御信号を提供することを特徴とする請求項１から請求項６のいずれか１項に記載のディスプレイパネル。
【請求項８】
前記回路基板に設けられた無線電力レシーバをさらに備えることを特徴とする請求項１から請求項７のいずれか１項に記載のディスプレイパネル。
【請求項９】
前記ディスプレイパネルに電池がさらに設けられ、
前記無線電力レシーバが前記電池に充電することを特徴とする請求項８に記載のディスプレイパネル。
【請求項１０】
前記無線電力レシーバが、１つまたは複数の共振素子、または、１つまたは複数の電磁コイルであることを特徴とする請求項８または請求項９に記載のディスプレイパネル。
【請求項１１】
前記電池が、前記ディスプレイスクリーン及び前記無線ネットワークアダプタに電力を提供することを特徴とする請求項９に記載のディスプレイパネル。
【請求項１２】
前記回路基板が電力切替回路をさらに備え、
外部電源がない場合、前記電力切替回路は、前記電池が前記ディスプレイスクリーン及び前記無線ネットワークアダプタに電力を提供するように切り替えることを特徴とする請求項９に記載のディスプレイパネル。
【請求項１３】
前記無線電力レシーバが、前記ディスプレイパネル及び前記無線ネットワークアダプタに直接的に電力を提供することを特徴とする請求項８に記載のディスプレイパネル。
【請求項１４】
前記無線ネットワークアダプタが、前記アレイ基板または前記対向基板に設けられることを特徴とする請求項１に記載のディスプレイパネル。
【請求項１５】
請求項１から請求項１４のいずれか１項に記載のディスプレイパネルを備えることを特徴とするディスプレイ装置。
【発明の詳細な説明】
【技術分野】
【０００１】
本発明は、ディスプレイパネル及びディスプレイ装置に関する。
【背景技術】
【０００２】
フラットパネル型ディスプレイスクリーンは、対角線の長さと、装置全体の厚さとの比が４：１より大きいディスプレイスクリーンであり、液晶ディスプレイスクリーン（Ｌｉｑｕｉｄ  Ｃｒｙｓｔａｌ  Ｄｉｓｐｌａｙ  Ｐａｎｅｌ）、有機ＥＬディスプレイスクリーン（Ｏｒｇａｎｉｃ  Ｌｉｇｈｔ  Ｅｍｉｔｔｉｎｇ  Ｄｉｏｄｅ  Ｄｉｓｐｌａｙ  Ｐａｎｅｌ）等を含む。
【０００３】
フラットパネル型ディスプレイスクリーンは、軽量、薄型、低消費電力、高発光輝度、広視野等のメリットに恵まれ、ディスプレイ装置の中で主流のディスプレイスクリーンとして採用されるようになっている。
【０００４】
フラットパネル型ディスプレイスクリーンを採用するディスプレイ装置は、主に、タブレットＰＣや、薄型テレビ、携帯電話等が挙げられる。携帯式フラットパネルディスプレイ装置に対する要求が高まっていることに伴って、より軽量、薄型、携帯に便利なフラットパネルディスプレイ装置が、人気を集めている。
【０００５】
また、インターネットにアクセスするため、従来のフラットパネル型ディスプレイスクリーンが使われたディスプレイ装置は、ディスプレイ装置に設けられた所定のカードスロットに無線ネットワークアダプタを差し込むことで、随時随所でインターネットに接続できる。しかし、予め設けられた所定のカードスロットが、ディスプレイ装置の大きな空間を占めるので、より薄型化を目指すフラットパネルディスプレイ装置に対して不利である。
【０００６】
また、従来のフラットパネルディスプレイ装置、例えば、タブレットＰＣでは、有線充電器で充電される充電電池を使っているので、ソケット及びケーブルが必要とされ、使用するには不便である。また、予め１００％に充電された電池が使用によって空となり、かつ即時に充電できない場合、フラットパネルディスプレイ装置が動作できなくなり、ユーザーの使用に対して大きな影響を及ぼす。そして、従来における有線の充電電池がフラットパネルディスプレイ装置の大きな空間を占めるとともに、重さもかなり重くなるので、より軽量薄型化を目指すフラットパネル型ディスプレイ装置に対して不利である。
【発明の概要】
【発明が解決しようとする課題】
【０００７】
本発明は、ディスプレイパネルに無線ネットワークアダプタを設けることで、このディスプレイパネルを採用したディスプレイ装置が、無線ネットワークを介して通信を行うことができるとともに装置全体の占める空間が小さくなるディスプレイパネル及びディスプレイ装置を提供する。
【課題を解決するための手段】
【０００８】
本発明の実施態様は、ディスプレイスクリーンと、回路基板と、無線ネットワークアダプタと、を備え、前記ディスプレイスクリーンは、アレイ基板と、前記アレイ基板とセル化されてディスプレイスクリーンを形成する対向基板とを備え、前記回路基板は、その上に前記ディスプレイスクリーンを制御する制御回路が設けられ、前記無線ネットワークアダプタは、無線ネットワークを介して通信を行う、ディスプレイパネルを提供する。
【０００９】
本発明の別の実施態様は、上記のディスプレイパネルを備えるディスプレイ装置を提供する。
【００１０】
本発明の実施形態における技術案をより明瞭に説明するため、以下、実施形態の図面について簡単に紹介する。なお、以下で説明する図面は本発明の実施形態の一部に過ぎず、本発明を限定する意図がないことは勿論のことである。
【図面の簡単な説明】
【００１１】
【図１】本発明の実施形態に係る無線ネットワークアダプタを備えるディスプレイパネルにおける、無線ネットワークアダプタのレイアウトの模式図である。
【図２】本発明の実施形態に係るディスプレイスクリーンの断面図である。
【図３】本発明の実施形態に係るディスプレイスクリーンにおけるアレイ基板の平面図である。
【図４】本発明の実施形態に係る、無線ネットワークアダプタ及び無線電力レシーバを備えるディスプレイパネルの、無線ネットワークアダプタ及び無線電力レシーバのレイアウトの模式図である。
【発明を実施するための形態】
【００１２】
本発明に係る実施形態の目的、技術案及びメリットをより明瞭にするために、以下、本発明の実施形態の図面を参照しながら、本発明の実施形態の技術案を明瞭かつ完全に説明する。なお、ここで記載された実施形態は、本発明の実施形態の一部に過ぎず、本発明の全ての実施形態ではない。本発明の実施形態に基づき、当業者が創造的な労働をしない前提で得られる他の実施形態は、全て本発明の技術範囲に含まれる。
【００１３】
本発明が提供するディスプレイパネル及びディスプレイ装置では、ディスプレイパネルに無線ネットワークアダプタが設けられているので、このディスプレイパネルを採用するディスプレイ装置は、無線ネットワークを介して通信を行うことができると共に、装置全体の占める空間を小さくすることができる。
【００１４】
本発明の実施形態が提供するディスプレイパネルは、ディスプレイスクリーンと、回路基板と、無線ネットワークアダプタと、を備える。ディスプレイスクリーンは、アレイ基板と、前記アレイ基板とセル化されてディスプレイスクリーンを形成する対向基板とを備える。回路基板には、前記ディスプレイスクリーンを制御する制御回路が設けられている。無線ネットワークアダプタは、無線ネットワークを介して通信を行う。
【００１５】
例えば、前記無線ネットワークアダプタは、前記回路基板に設けられてよく、または、前記アレイ基板や前記対向基板に設けられてもよい。
【００１６】
このように、本発明の実施形態に係るディスプレイパネルは、無線Ｗｉ−Ｆｉ機器、例えば、無線ネットワークアダプタを提供することによって、このディスプレイパネルを採用した、例えば、タブレットＰＣや携帯電話等のディスプレイ装置が、無線ネットワークアダプタを差し込むための所定のカードスロットを別途に設ける必要がなくなり、または、その中に無線ネットワークアダプタを集積しなくても無線ネットワークを介して通信を行うことができ、無線ネットワークを介した通信が実現されるとともに、ディスプレイ装置の装置全体の占める空間が減少される。
【００１７】
さらに、ディスプレイパネルに設けられた無線ネットワークアダプタは、無線ネットワークを介してディスプレイスクリーンの表示を制御する表示制御信号を受信してもよい。これによって、ディスプレイスクリーンに画像を表示させるように制御する。このように、このディスプレイパネルを採用した、例えば、薄型テレビやフラットパネル型ディスプレイスクリーン等のディスプレイ装置は、例えば、セットトップボックスやホスト等に接続する必要がなく、無線ネットワークを介して画像信号を受信して表示することができる。
【００１８】
さらに、本発明の実施形態に係るディスプレイパネルには、無線電力レシーバを設けてもよい。これによって、このディスプレイパネルを備える、例えば、タブレットＰＣ等のディスプレイ装置に設置された電池に充電することができ、または、直接的にディスプレイスクリーンに電力を提供することができる。したがって、装置全体の体積や重量が減少され、携帯やインターネットへアクセスがさらに便利になり、エネルギーも節約される。
【００１９】
以下、図面を用いながら、本発明の実施形態が提供するディスプレイパネルやディスプレイ装置の実施形態について詳しく説明する。
【００２０】
なお、図面における各層の薄膜の厚みや形状は、アレイ基板の実際の比例を反映するものではなく、本発明の実施形態の内容を説明するためだけのものである。
【００２１】
例えば、本発明の実施形態に係るディスプレイ装置は、液晶ディスプレイパネルや有機ＥＬディスプレイパネル、またはその他のディスプレイパネルであってもよい。
【００２２】
第１実施形態
本発明の第１実施形態は、無線ネットワークアダプタを備えるディスプレイスクリーンを提供する。図１は、本発明の第１実施形態が提供する無線ネットワークアダプタを備えるディスプレイパネルにおける、無線ネットワークアダプタのレイアウトの模式図である。なお、無線ネットワークアダプタは、その上にディスプレイスクリーンの制御回路が設置された回路基板に設けられた。
【００２３】
図１に示されるように、本発明の実施形態が提供するディスプレイパネルは、アレイ基板２０と対向基板１０とを含むディスプレイスクリーン１と、無線ネットワークアダプタ３とを備える。
アレイ基板２０は、
第１ベース基板２０６と、
前記第１ベース基板２０６に形成され、互いに交差する複数のデータ線２０２及びゲート線２０１と、
前記ゲート線と前記データ線とが交差して構成され、それぞれに前記第１ベース基板に形成された薄膜トランジスタ２０３及び画素電極２０４とが設けられている複数の画素ユニットと、を備える。
対向基板１０は、前記アレイ基板２０とセル化されてディスプレイスクリーンを形成し、
第２ベース基板１０１と、
前記第２ベース基板に形成されたカラーフィルター１０５及びブラックマトリックス１０４と、を備える。
無線ネットワークアダプタ３は、その上に前記ディスプレイスクリーンの制御回路５が設けられた回路基板２に設けられ、無線ネットワークを介して通信を行う。
【００２４】
例えば、回路基板は、プリントボード（Ｐｒｉｎｔ  Ｃｉｒｃｕｉｔ  Ｂｏａｒｄ，ＰＣＢ）やフレキシブルプリント基板（Ｆｌｅｘｉｂｌｅ  Ｐｒｉｎｔｅｄ  Ｃｉｒｃｕｉｔｓ，ＦＰＣ）であってもよい。無線ネットワークアダプタ３は、はんだ付けや接着剤によって回路基板２に貼り付けてもよい。
【００２５】
例えば、回路基板２には、無線ネットワークアダプタ３と回路基板２とを接続するリードを備える。このリードは、はんだ付けによって、無線ネットワークアダプタ３と回路基板２とを接続する。
【００２６】
例えば、リードは、電源リード４１と、データ入力リード４２と、データ出力リード４３とを含んでもよい。
【００２７】
本発明の実施形態のディスプレイパネルは、ディスプレイスクリーン１に接続された回路基板に、無線ネットワークアダプタを設けることで、このディスプレイパネルを備える、例えば、タブレットＰＣや携帯電話などのディスプレイ装置は、予め無線ネットワークアダプタのスロットを設けることや、無線ネットワークアダプタを集積することがなくても、無線ネットワークへアクセスすることができ、このディスプレイ装置の装置全体の占める空間が減少され、より軽量薄型のフラットパネルディスプレイ装置が得られる。
【００２８】
例えば、ディスプレイパネルに設けられた無線ネットワークアダプタ３は、無線ネットワークを介してディスプレイスクリーン１を表示させる表示制御信号を受信してもよい。これによって、ディスプレイスクリーンに画像を表示させるように制御する。このように、このディスプレイパネルを採用する、例えば、薄型テレビやフラットパネル型ディスプレイスクリーン等のディスプレイ装置は、例えば、セットトップボックスやホスト等に接続する必要がなく、無線ネットワークを介して画像信号を受信して表示することができる。
【００２９】
例えば、前記無線ネットワークアダプタ３は、無線ネットワークを介して無線ネットワークアダプタ３自身のため、またはディスプレイスクリーン１のための電力を受電してもよい。なお、無線ネットワークアダプタ３が無線ネットワークを介して自身のための電力を受電する場合、回路基板２に接続された電源リード４１が必要とされず、さらに、前記無線ネットワークアダプタが、他のリードを介して前記ディスプレイスクリーンの電圧生成回路に接続され、前記ディスプレイスクリーンに電力を提供する。
【００３０】
なお、無線ネットワークアダプタは、無線ネットワークを介してコントロールデータ等を受信することができる場合、回路基板２に接続されたデータリード４２が省略でき、また、無線ネットワークを介して電力を受電することができる場合、電源リード４１が省略できる。無線ネットワークアダプタと回路基板とを接続するリードの数は、必要に応じて増加してもよく、または削減してもよい。本発明の実施形態は、これに対して限定しない。
【００３１】
例えば、前記無線ネットワークアダプタは、アレイ基板や対向基板に形成されてもよい。
【００３２】
第２実施形態
本発明の第２実施形態は、第１実施形態に係るディスプレイパネルであって、無線ネットワークアダプタ及び無線電力レシーバを備えるディスプレイパネルを提供する。図４は、本発明の実施形態が提供する、無線ネットワークアダプタ及び無線電力レシーバを備えるディスプレイパネルの無線ネットワークアダプタ及び無線電力レシーバのレイアウトの模式図である。なお、無線ネットワークアダプタ及び無線電力レシーバは、その上にディスプレイスクリーンの制御回路が配置された回路基板に設けられている。
【００３３】
図４に示すように、本発明の第２実施形態が提供するディスプレイパネルは、アレイ基板２０と対向基板１０とを含むディスプレイスクリーン１と、無線ネットワークアダプタ３と、無線電力レシーバ６とを備える。
アレイ基板２０は、
第１ベース基板２０６と、
前記第１ベース基板２０６に形成され、互いに交差する複数のデータ線２０２及びゲート線２０１と、
前記ゲート線と前記データ線とが交差することで形成され、それぞれに前記第１ベース基板に形成された薄膜トランジスタ２０３及び画素電極２０４とが設けられた複数の画素ユニットと、を備える。
対向基板１０は、前記アレイ基板２０とセル化されてディスプレイスクリーンを形成し、
第２ベース基板１０１と、
前記第２ベース基板１０１に形成されたカラーフィルター１０５及びブラックマトリックス１０４と、を備える。
無線ネットワークアダプタ３は、その上に前記ディスプレイスクリーンの制御回路５が設置された回路基板２に設けられ、無線ネットワークを介して通信を行う。
無線電力レシーバ６は、回路基板２に設置されている。
【００３４】
無線電力レシーバ６は、１つまたは複数の共振素子であってもよいが、１つまたは複数の電磁コイルであってもよい。
【００３５】
例えば、前記ディスプレイパネルに電池が設置されてもよい。無線電力レシーバ６は、前記電池に電力を提供する。
【００３６】
例えば、回路基板２には、電力切替回路７をさらに備えてもよい。外部の電力が接続されていない場合、前記電力切替回路７は、前記電池が前記ディスプレイスクリーン及び／または前記無線ネットワークアダプタに電力を提供するように切り替えられる。
【００３７】
本発明の実施形態が提供する無線電力レシーバは、ソケット及びケーブルを使う必要がなく、より便利に、このディスプレイパネルを採用するディスプレイ装置に充電することができ、そして、いつでも充電することができ、電力を急に切るのを心配する必要もなくなる。
【００３８】
本発明の実施形態が提供する無線電力レシーバは、ソケット及びケーブルを使う必要がなく、直接的にディスプレイパネルに電力を提供することができ、そして、いつでも充電することができ、急に停電するのを心配する必要もなくなる。
【００３９】
以下、本発明の第２実施形態に係る無線電力レシーバの動作原理を説明する。
【００４０】
まず、無線電力レシーバが共振素子である場合の原理を説明する。
【００４１】
共振素子は、電磁の共振によって無線による電力の伝送を実現する。電磁共振のエネルギー伝送原理は、不均一に変化する電界が、その周辺に変化する磁界を生じ、不均一に変化された磁界も、その周辺に変化する電界を生じる。
【００４２】
例えば、本発明の実施形態の無線電力レシーバは受信側コイルを備え、また、電力提供装置は発信側コイルを備える。送信側コイルと発信装置とが、同じ共振周波数で動作する場合（本発明の実施形態は、低周波数の共振によってエネルギーの伝送が実現される）、磁界よって共振し、送信側コイルと発信装置との間で電力の伝送が行われ、送信側コイルと発信側コイルとがカップリングによってエネルギーの伝送が実現され、例えば、エネルギーを、ディスプレイパネルの関連する電力消費モジュールやディスプレイパネルに提供された電池等に伝送する。エネルギーは、両方の互いに共振する共振体の間のみで伝送されるが、他の方には拡散しない。
【００４３】
同じ発明思想に基づいて、本発明の実施形態は、上記のディスプレイパネルを備えるディスプレイ装置をさらに提供する。
【００４４】
また、本発明の実施形態に係るディスプレイパネルにおける無線ネットワークアダプタ（及び無線電力レシーバ）は、アレイ基板や対向基板に形成されてもよい。
【００４５】
本発明が提供するディスプレイパネル及びディスプレイ装置において、ディスプレイパネルに無線ネットワークアダプタ（または無線電力レシーバ）を設けることで、無線ネットワーク信号を受信するとともに、このディスプレイパネルを採用したディスプレイ装置の装置全体の厚みを減少することができ、より軽量且つ薄型のディスプレイ装置が得られる。また、従来における重い電池及びソケットやケーブルの代わりに、無線電力レシーバを採用することで、ディスプレイ装置全体の回路の接続が簡単化されるのみならず、ディスプレイ装置の重さも減少され、ディスプレイ装置全体の製造コストが低減される。
【００４６】
当業者は、本発明の要旨を逸脱しない範囲で、各種の修正や変形などを行うことができる。当然ながら、このような発明に対する修正や変形は、本発明の請求項やそれと同等な技術による保護範囲内にある場合、本発明に含まれる。
【符号の説明】
【００４７】
１  ディスプレイスクリーン
２  回路基板
３  無線ネットワークアダプタ
５  制御回路
６  無線電力レシーバ
７  電力切替回路
１０  対向基板
２０  アレイ基板
４１  電源リード
４２  データ入力リード
４３  データ出力リード
１０１  第２ベース基板
１０４  ブラックマトリックス
１０５  カラーフィルター
２０１  ゲート線
２０２  データ線
２０３  薄膜トランジスタ
２０４  画素電極
２０６  第１ベース基板
【図１】
2014106538.tif 000003
【図２】
2014106538.tif 000004
【図３】
2014106538.tif 000005
【図４】
2014106538.tif 000006